【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
モップに含まれた清掃水を絞るモップ絞り器が、絞られた上記清掃水を受ける水槽の上方に懸架されていることを特徴とするモップ絞り器。
【請求項２】
モップに含まれる清掃水を絞るモップ絞り器が、絞られた上記清掃水を受ける水槽の上方支柱に脱着自在に懸架される機能を有することを特徴とするモップ絞り器。
【請求項３】
モップに含まれる清掃水を絞るモップ絞り器が、絞られた上記清掃水を受ける水槽を搭載する台車に固定された支柱に上記水槽の上方位置で支柱に脱着自在に懸架される機能を有することを特徴とするモップ絞り器。
【請求項４】
モップ絞り器の枠体内に配設された押圧体と、上記押圧体の下方に上記枠体内に回動自在にかつ上記押圧体との間隔がモップの厚さよりも小さい間隔を有するように受板が配置されていることを特徴とするモップ絞り器。
【請求項５】
モップ絞り器の枠体内に配設された押圧体と、上記押圧体の下方に上記枠体内に回動自在にかつ上記押圧体との間隔がモップの厚さよりも小さい間隔を有するように受板が配設された上記モップ絞り器が、上記清掃水を受ける水槽の上方に懸架されていることを特徴とする請求項１及至請求項３記載のモップ絞り器。
【手続補正２】
【補正対象書類名】明細書
【補正対象項目名】０００１
【補正方法】変更
【補正の内容】
【０００１】
【発明の属する技術分野】
本発明は床などの拭き掃除に使用するモップを水で洗浄したときに、モップの水を絞り取るモップ絞り器、特に病院における洗浄に使用して好適なモップ絞り器に関するものである。
【手続補正３】
【補正対象書類名】明細書
【補正対象項目名】０００２
【補正方法】変更
【補正の内容】
【０００２】
【従来の技術】
病院における床などの拭き掃除では、院内感染の予防のため、粉塵を巻き上げないで、埃と汚れを除去することが要求されるとともに、従来の清掃用モップよりも確実に埃と汚れが除去されることが必要である。
そこで、発明者は、上記目的に適応した粉塵回収率が高く、しかも清掃後の付着菌数の極めて少ない再生セルローススポンジを使用したモップ（以下、スイングモップと言う。）を用いている。
図１０及び図１１は、スイングモップａを図示したものであり、図１０はスイングモップａの斜視図、図１１はその部分拡大側面図である。ｂはハンドル、ｃはスライドグリップハンドル、ｄはサムスロット、ｅはリンケージ嵌合スロット、ｆはモップハンドル、ｇは金属リンクロッド、ｈは金属絞りワイヤー、ｉは絞りアーム、ｊはハンドルソケット、ｋはシュラウドボディー部分、ｌは金属パドル、ｍはスポンジモップパッドである。
【手続補正４】
【補正対象書類名】明細書
【補正対象項目名】０００３
【補正方法】変更
【補正の内容】
【０００３】
操作においては、清掃時、モップａは図１０に示されるモッピング位置にあり、金属パドルｌは図１１の破線に示すように通常水平位置にあって、適正な水を含んだスポンジモップパッドｍで床を清掃する。ついで、水槽の水でスポンジモップｍを洗浄したのち、スポンジモップｍから水を除去する場合には、手動でスライドグリップハンドルｃをモップハンドルｂに沿って下げる。これによって金属リンクロットｇが下方に移動する。ついで金属リンクロットｇに回転自在に連結された金属絞りワイヤーｈ、ｈ及び絞りアームｉ、ｉが回動し、図示省略のスプリングの抵抗に抗して図１１中矢印に示すように金属パドルｌ、スポンジモップパッドｍは水平方向から垂直方向に回動し、スポンジモップパッドｍ、ｍが折り畳まれ水が絞り出される。
このスイングモップａでは、スポンジモップパッドｍを中央から二つ折りに曲げる方式なので、大きな腕力が必要であり、病院の清掃を主に担当している女性の腕力では足りない場合があり、軽い方式で水絞りができるものが要求されていた。
また、最近では、金属リンクロットｇがなく手動で直接金属絞りワイヤーｈ、ｈを下方に回転させて絞りアームｉ、ｉを回動させてスポンジモップパッドｍ、ｍを折り畳む方式に簡素化されているが、これでも水絞りでの腕力が必要となりその軽減化が要求されていた。
また、このスイングモップａでは、折り曲げを繰り返すことによってスポンジモップパッドｍの劣化が激しくその対策が望まれていた。
更に、このスイングモップａでは、折り曲げた際に、相対するスポンジモップパッドｍ、ｍに加わる圧力が長手方向の位置によって異なるため、絞り出された後のスポンジモップパッドｍ、ｍに含まれる水分が均一でなく、床掃除の場合に掃除ムラが生じることがあって、床掃除時のスポンジモップパッドｍ、ｍの水分が均一になる方策が要求されていた。
【手続補正５】
【補正対象書類名】明細書
【補正対象項目名】０００５
【補正方法】変更
【補正の内容】
【０００５】
図１２及至図１６は特願２００１−５９２４５号で特許出願したものの第一実施例に係るものを図示したもので、図１２は斜視図、図１３は側断面である。また、図１４はスポンジ付きモップの正面図、図１５はその側面図、図１６はその作用説明図である。
図１２及至図１６において、３１は図示省略の清掃用水を貯留する箱形の水槽で、同水槽３１の上部は開口している。３２は水槽３１の前板、３３は水槽３１の側板、３４は水槽３１の後板、３５は側板３３，３３間に架設された円柱。なお、この円柱３５は固定でも回転自在でも良い。３６は円柱３５に載上されている受板、３７は受板３６の上方に適宜な間隔で側板３３，３３間に架設された押し板である。３８は押し板３７の両端に設けられ側板３３に回転自在な軸である。３９は押し板３７の前方に設けられた凹部である。４０は押し板３７の上面に固定された補強板、４１は受板３６と押し板３７とを固定する支柱、４２ａ，４２ｂは支柱４１の長さを調整する上部ナット、下部ナットである。そして、受板３６上面と押し板３７下面との間の支柱４１，４１の長さは、図１４及び図１５に示すスポンジ付きモップ４３のスポンジモップパッド４４とスポンジモップパッド４４を固定保持する金属板４５との厚さよりも小さい長さになるように上部ナット４２ａ又は下部ナット４２ｂで調整する。すなわち受板３６上面と押し板３７下面との最小間隔は、スポンジモップパッド４４が厚さ方向に適宜な厚さまで圧縮される程度の間隔である。なお、図１４および図１５において、４７は金属板４５とモップ柄４６とを固定する固定枠である。
【手続補正６】
【補正対象書類名】明細書
【補正対象項目名】０００６
【補正方法】変更
【補正の内容】
【０００６】
このように構成された実施例において、まず、受板３６と押し板３７との間の支柱４１の長さが、図１４及び図１５に示すスポンジモップパッド４４と金属板４５との厚さよりもやや小さい間隔になるように上部・下部ナット４２ａ、４２ｂの回転によってあらかじめ調整しておく。そして、スポンジ付きモップ４３のスポンジモップパッド４４を水槽３１内の図示省略の清掃水中に潜水させ、スポンジモップパッド４４に付着した汚れを洗浄する。ついで、図１６に示すように受板３６と押し板３７との間にスポンジ付きモップ４３のスポンジモップパッド４４と金属板４５とを挿入する。ついでモップ柄４６を図１６中Ａ方向に回動させると金属板４５の前端部と押し板３７の前端部との接触面を支点線Ｐとして押し板３７が図中Ａ方向に回動し、スポンジモップパッド４４は受板３６と押し板３７との間で狭圧され、清掃に好適な所望の含水量に絞られる。そして、絞り出された水は、受板３６にあけられた図示省略の複数の穴及び側面から下方に落ち水槽３１内に溜まる。ついで、モップ柄４６を図１６中Ｂ方向に回動させ、スポンジモップパッド４４及び金属板４５を受板３６と押し板３７との間から抜き取り、次の清掃作業に取りかかる。
【手続補正７】
【補正対象書類名】明細書
【補正対象項目名】０００７
【補正方法】変更
【補正の内容】
【０００７】
【発明が解決しようとする課題】
この従来方式では、汚れた水を含んでいるスポンジ付きモップ４３のスポンジモップパッド４４及び金属板４５を受板３６と押し板３７との間に挿入し、モップ柄４６を図６中Ａ方向に回動させてスポンジモップパッド４４に含まれていた汚水を絞り出す方式であるので、スポンジモップパッド４４に含まれた汚水を絞り出す力が直接受板３６と押し板３７にかかり、したがって受板３６、押し板３７及びその剛性を確保する水槽３１が充分に剛性を有する設計が必要である。すなわち、水槽３１が充分に剛性を有する構造にするため材料代が高くなるとともに水槽自体が重たいものになっていた。
【手続補正８】
【補正対象書類名】明細書
【補正対象項目名】００１４
【補正方法】変更
【補正の内容】
【００１４】
【発明の効果】
以上、本発明の実施例及び他の実施例で述べたように本発明によって次の効果が得られる。
（１）  従来、水槽は、モップに含まれる清掃水を絞り出すために必要な圧搾力に耐えられる強度を有する必要があったが、本発明では水槽の強度はその必要がない。
（２）  したがって、水槽の軽量化が出来る。
（３）  スポンジモップパッドの挟圧する機構がきわめて簡単なので、製作が容易に出来、かつスポンジモップパッドの絞り作業が容易になる。
（４）  構造がシンプルなので、清掃業者のみならず家庭のフローリングに適応した大型化・小型化が可能であり、幅広く使用することが出来る。
（５）  スポンジモップパッドを中央から折り曲げて圧搾して、含まれている水分を絞り出す方式でないので、スポンジモップパッドの劣化を防止できる。
【手続補正９】
【補正対象書類名】明細書
【補正対象項目名】００１５
【補正方法】変更
【補正の内容】
【００１５】
（６）  スポンジモップパッド全面に均一に加わる圧搾力で、含まれている水分を絞り出すので、スポンジモップパッド全面の含水率が均一になり清掃後の清掃ムラが生じない。
（７）  従来、病院等での清掃には、箒掃き、ダストモップ掛け、水拭きの三工程で行っていたのが、スポンジモップ拭きの一工程で済むので、清掃に要する人件費が大幅にコストダウンできる。
（８）  特に病院内での清掃では、均一な水を有するスポンジモップパッドで清掃するので清掃後の乾燥も短時間ですみ院内感染予防に効果的である。
（９）  水槽内でスポンジモップパッドを絞るので、圧搾力で絞り出された水が飛散することがなく衛生的である。
【手続補正１０】
【補正対象書類名】図面
【補正対象項目名】図１２
【補正方法】変更
【補正の内容】
【図１２】
2003079555.tif 000001
【手続補正１１】
【補正対象書類名】図面
【補正対象項目名】図１３
【補正方法】変更
【補正の内容】
【図１３】
2003079555.tif 000002
【手続補正１２】
【補正対象書類名】図面
【補正対象項目名】図１４
【補正方法】変更
【補正の内容】
【図１４】
2003079555.tif 000003
【手続補正１３】
【補正対象書類名】図面
【補正対象項目名】図１５
【補正方法】変更
【補正の内容】
【図１５】
2003079555.tif 000004
【手続補正１４】
【補正対象書類名】図面
【補正対象項目名】図１６
【補正方法】変更
【補正の内容】
【図１６】
2003079555.tif 000005